(57)【要約】【課題】異常状態が発生した場合であっても最新の状態を把握・記憶することができ、状態について信頼性の高い情報を保持することが可能な画像形成装置および画像形成装置の制御方法を提供する。【解決手段】感光ドラム１と、本体に着脱自在に配設され、画像形成処理を行う現像器２と、現像器２に配設され、情報を記憶するカートリッジメモリ９と、カートリッジメモリ９に対する情報の更新を制御する制御部１０と、異常を検知するフォトインタラプタ１１〜１４とを有する画像形成装置であって、制御部１０は、フォトインタラプタ１１〜１４によって異常が検知された場合に、フォトインタラプタ１１〜１４からの異常発生の通知に基づいて、カートリッジメモリ９の情報の更新を行い、その後、異常発生を通知することを特徴とする画像形成装置。【選択図】図１
2007108211.tif 000002
【特許請求の範囲】
【請求項１】
静電潜像を担持する像担持体と、
画像形成装置本体に着脱自在に配設され、画像形成処理を行うプロセス手段と、
前記プロセス手段に配設され、情報を記憶する記憶手段と、
前記記憶手段に対する情報の更新を制御する制御手段と、
異常を検知する検知手段とを有する画像形成装置であって、
前記制御手段は、前記検知手段によって前記異常が検知された場合に、前記検知手段からの異常発生の通知に基づいて、前記記憶手段の情報の更新を行い、その後、異常発生を通知することを特徴とする画像形成装置。
【請求項２】
請求項１に記載の画像形成装置において、
前記記憶手段に記憶する情報とは、前記プロセス手段の状態に関する情報であることを特徴とする画像形成装置。
【請求項３】
請求項１または２に記載の画像形成装置において、前記プロセス手段が現像手段を含むことを特徴とする画像形成装置。
【請求項４】
請求項１または２に記載の画像形成装置において、前記プロセス手段が像担持体を含むことを特徴とする画像形成装置。
【請求項５】
請求項１ないし４のいずれか一項に記載の画像形成装置において、
前記検知手段が、転写材が転写材搬送路を通過したことを検知する転写材検知センサであって、
前記異常が、前記転写材のジャムであることを特徴とする画像形成装置。
【請求項６】
請求項１ないし４のいずれか一項に記載の画像形成装置において、
転写材を収容するカセットを有し、
前記検知手段が、前記カセット内の前記転写材の有無を検知する有無検知センサであって、
前記異常が、前記カセット内に転写材が無い状態であることを特徴とする画像形成装置。
【請求項７】
請求項１ないし４のいずれか一項に記載の画像形成装置において、
廃トナーを収容する廃トナー収容手段を有し、
前記検知手段が、前記廃トナー収容手段内のトナー量を検知するトナー検知センサであって、
前記異常が、前記廃トナー収容手段が廃トナーで充満した状態であることを特徴とする画像形成装置。
【請求項８】
請求項５に記載の画像形成装置において、
前記転写材検知センサが、フォトインタラプタであることを特徴とする画像形成装置。
【請求項９】
請求項６に記載の画像形成装置において、
前記有無検知センサが、フォトインタラプタであることを特徴とする画像形成装置。
【請求項１０】
請求項７に記載の画像形成装置において、
前記トナー検知センサが、一対の発光素子と受光素子から構成されることを特徴とする画像形成装置。
【請求項１１】
静電潜像を担持する像担持体と、画像形成装置本体に着脱自在に配設され、画像形成処理を行うプロセス手段と、前記プロセス手段に配設され、情報を記憶する記憶手段と、前記記憶手段に対する情報の更新を制御する制御手段と、異常を検知する検知手段とを有する画像形成装置の制御方法であって、
前記検知手段によって画像形成動作中に異常が発生したことを検知する検知工程と、
前記異常の発生を検知した場合に、前記記憶手段の情報の更新を行う情報更新工程と、
前記情報更新工程の後に、異常発生の通知を行う通知工程と、
を有することを特徴とする画像形成装置の制御方法。
【発明の詳細な説明】
【技術分野】
【０００１】
本発明は、プリンタ、複写機、ファクシミリ等の画像形成装置およびその制御方法に関し、特に電子写真方式のカラー画像形成装置およびその制御方法に関するものである。
【背景技術】
【０００２】
従来、電子写真方式の画像形成装置においては、プロセスカートリッジ方式を採用したものがある。プロセスカートリッジ方式とは、電子写真感光体（像担持体）およびまたは電子写真感光体に作用するプロセス手段を一体的にカートリッジ化して、このカートリッジを画像形成装置本体に着脱可能としたものである。
【０００３】
プロセスカートリッジ方式によれば、画像形成装置のメンテナンスをサービスマンによらずユーザ自身で行うことができる。したがって、格段に操作性を向上させることができる。そのため、このプロセスカートリッジ方式は、電子写真方式の画像形成装置において広く採用されている。
【０００４】
なお、前述のプロセス手段は、電子写真感光体を帯電する帯電手段、電子写真感光体上に形成された潜像を顕像化する現像手段、電子写真感光体の表面を清掃するクリーニング手段等を含む。
【０００５】
さらに、カートリッジにメモリを備えたカートリッジメモリ方式が採用されている例もある。カートリッジメモリ方式によれば、カートリッジの使用可能量やカートリッジ特有の画像形成時の制御条件等をカートリッジメモリに記憶して、画像形成装置にこれらの情報を送信することが可能である。また、カートリッジが使用された度合いを画像形成装置から書き込む等も可能である。
【０００６】
また、このカートリッジメモリ方式によれば、電子写真感光体の感度や現像剤の充填量等のカートリッジ毎に異なる情報を画像形成装置本体に伝えることができる。また、各カートリッジに対して最適化された制御条件での画像形成動作や、カートリッジ寿命警告等をきめ細かく行うことができる。さらに、実際にカートリッジの着脱が行われ、別の画像形成装置に取り付けられた場合でも、同じようにカートリッジの使用度合いをユーザに報知することができるようになる。
【０００７】
さらに、近年電子写真方式の画像形成装置においてもカラー化が進み、様々なタイプの装置が登場している。カラー画像を形成する方式は大別して２種類ある。１つは、所謂ロータリ方式の画像形成装置である。ロータリ方式は、現像手段としての現像器を従来のカートリッジから分離して、各色の現像器を機械的に切り替えることでカラー画像を形成するものであり、コストパフォーマンスに優れる。
【０００８】
もう１つは、所謂インライン方式の画像形成装置である。インライン方式は、各色の現像機と電子写真感光体を対で搭載して、印刷用紙の通紙経路上または中間転写体上に並列に配置したものである。１パスで４色の画像を形成するものであるため、高速印字が可能である。
【０００９】
ロータリ方式の画像形成装置においては、現像器の切り替えには図１に示すような回転式の機構が用いられる。この場合の現像器に内蔵されたカートリッジメモリと制御回路との接続は、当接離間動作の可能な接点機構によって実現される。この接点機構によれば、通信時には接点部がカートリッジメモリの電極部に当接されて、制御回路とカートリッジメモリの接続が確保される。一方、データ通信を行わない場合は接点部の当接が解除されて、現像器の回転移動が可能な状態となる。このようなロータリ方式の画像形成装置については下記特許文献１に記載されている。
【００１０】
データ通信を行うタイミングに関しては、１枚印字する毎にデータ書き込みを行うのは、接点寿命やデータ通信時間の観点から好ましくない。そのため、例えば印字枚数５０枚毎に蓄積されたデータをカートリッジメモリに書き込む手法が一般的に用いられている。その間のデータの蓄積はメインボード内の不揮発性メモリ等にて行われることが多い。
【特許文献１】特開２００４−１３８７１１号公報
【発明の開示】
【発明が解決しようとする課題】
【００１１】
ところで、プリント動作中に異常が発生した場合、例えば用紙ジャム等が発生した場合には、その旨をユーザに報知して異常状態を解消してもらう必要が生じる。その異常状態解消の作業中に、ユーザの判断でカートリッジを他のものと交換して印字テストを試みるケースも考えられる。
【００１２】
その際、メインボード内の不揮発性メモリに蓄積されたままでカートリッジメモリに反映されることのなかったデータは消失することになる。その結果、カートリッジメモリ内のデータは前回更新した状態のままとなり、画像形成装置の最新の状況を反映することができずにその信頼度を低下させるといった問題があった。
【００１３】
本発明は、上記問題点に鑑みて為されたものであり、異常状態が発生した場合であっても最新の状態を把握・記憶することができ、状態について信頼性の高い情報を保持することが可能な画像形成装置およびその制御方法を提供することを目的とする。
【課題を解決するための手段】
【００１４】
本発明は上述した課題を解決するためになされたものであり、以下の構成を備える。
【００１５】
（１）静電潜像を担持する像担持体と、画像形成装置本体に着脱自在に配設され、画像形成処理を行うプロセス手段と、前記プロセス手段に配設され、情報を記憶する記憶手段と、前記記憶手段に対する情報の更新を制御する制御手段と、異常を検知する検知手段とを有する画像形成装置であって、前記制御手段は、前記検知手段によって前記異常が検知された場合に、前記検知手段からの異常発生の通知に基づいて、前記記憶手段の情報の更新を行い、その後、異常発生を通知することを特徴とする画像形成装置。
【００１６】
（２）静電潜像を担持する像担持体と、画像形成装置本体に着脱自在に配設され、画像形成処理を行うプロセス手段と、前記プロセス手段に配設され、情報を記憶する記憶手段と、前記記憶手段に対する情報の更新を制御する制御手段と、異常を検知する検知手段とを有する画像形成装置の制御方法であって、前記検知手段によって画像形成動作中に異常が発生したことを検知する検知工程と、前記異常の発生を検知した場合に、前記記憶手段の情報の更新を行う情報更新工程と、前記情報更新工程の後に、異常発生の通知を行う通知工程と、を有することを特徴とする画像形成装置の制御方法。
【発明の効果】
【００１７】
本発明によれば、異常状態が発生した場合であっても最新の状態を把握・記憶することができ、状態について信頼性の高い情報を保持することが可能な画像形成装置およびその制御方法を提供することができる。
【発明を実施するための最良の形態】
【００１８】
以下本発明の実施例について、図面を参照しながら説明する。
【００１９】
ただし、この実施例に記載されている構成部品の寸法、材質、形状、その相対配置等は、特に特定的な記載がない限りは、この発明の範囲をそれらのみに限定する趣旨のものではない。
【実施例１】
【００２０】
図１は本実施例に係る画像形成装置の概略図である。
【００２１】
図１において、１は静電潜像を形成するための電子写真感光体（像担持体）としての感光ドラムである。２ａ〜２ｄは、感光ドラム１上に形成された静電潜像を可視像化するための現像手段としての現像器であり、各々Ｙ（イエロー）・Ｍ（マゼンタ）・Ｃ（シアン）・Ｋ（ブラック）のトナーを内蔵している。これらは回転式のホルダーにセットされており、順次切り替えることで各色画像の現像を行う。
【００２２】
３は光学ユニットである。内部には、静電潜像を形成するための光源である半導体レーザ等の不図示のレーザ素子、レーザを感光ドラム１上に走査するための不図示のポリゴンミラー、レーザを誘導するための不図示の折り返しミラー等が配設される。４はカラー画像を形成する為の中間転写体としての中間転写ベルトであり、ＹＭＣＫ４色分の画像を中間転写ベルト４上に多重転写することでカラー画像を形成する。
【００２３】
５は転写材としての印刷用紙を積載しておくための用紙カセット、６は中間転写ベルト４上の画像を印刷用紙に転写するための転写手段としての転写ローラである。７は印刷用紙に転写された画像を定着するための定着手段としての定着器である。８は後述する制御部１０と現像器２ａ〜２ｄを電気的に接続するための接続手段としての接点部であり、９ａ〜９ｄは現像器２ａ〜２ｄに配設された不揮発性メモリ等の記憶手段としてのカートリッジメモリである。
【００２４】
１０はカートリッジメモリに対して読み出し／書き込みの制御を行う制御手段としての制御部である。接点部８はカートリッジメモリ９ａ〜９ｄへのアクセス時にカートリッジメモリ９ａ〜９ｄに当接し、現像器２ａ〜２ｄの回転切り替え時に離間する構成となっている。１１〜１４は印刷用紙の通紙状態を確認する為の転写材検知センサとしてのフォトインタラプタ、１５は用紙カセット５内の印刷用紙の有無を検知する有無検知センサとしてのフォトインタラプタである。
【００２５】
図１において、印刷用紙は太線矢印方向に沿って搬送される。制御部１０は、画像形成装置本体に備えられた不図示のパネル部あるいは外部のＰＣ等からプリント開始の要求を受けると、用紙カセット５から印刷用紙をピックアップさせる。制御部１０が給紙の指示を出してから所定時間が経過しても、フォトインタラプタ１１が印刷用紙の通過を検知しなかった場合、用紙ピックアップ時に何らかのトラブルが発生したと判断される。また、フォトインタラプタ１１が所定時間内に印刷用紙の通過を確認しても、フォトインタラプタ１２が所定時間内に印刷用紙の通過を確認しなかった場合、給紙からレジ前の間の経路で紙搬送ジャムが発生したと判断される。このように、プリント開始からの経過時間とフォトインタラプタ１１〜１５の出力情報を組み合わせることで印刷用紙の通紙状況を把握することができる。
【００２６】
図２は本実施例に係る接点部８の構成を示す概略図である。ここで、２１は接点部８側の接触ピン、２２はカートリッジメモリ９ａ〜９ｄの電極である。図２において、離間時の接触ピン２１と電極２２の状態を実線で、接触時の接触ピン２１と電極２２の状態を点線で示している。図２で示す様に、接触時には接触ピン２１が接点部８本体内に沈み込むことで電極２２に対して圧力を与えており、より確実な電気的接続が可能となっている。
【００２７】
図３は本実施例に係る接点部８の当接離間を実現する構成の一例を示した図である。図３において、１０１は順回転・逆回転が可能なモータ、１０２は回転運動を直線運動に変換するための支持機構である。現像器２ａ〜２ｄが不図示の回転機構によって所定の位置に移動した後に、接点部８の接触ピン２１とカートリッジメモリ９ａ〜９ｄの電極２２を当接させる。モータ１０１がＡ方向に回転することで、支持機構１０２が下方向に移動し、接点部８の接触ピン２１がカートリッジメモリ９ａ〜９ｄの電極２２に当接する。
【００２８】
制御部１０によりデータの読み取り／書き込みを行い、それらが終了した後に接点部８の接触ピン２１とカートリッジメモリ９ａ〜９ｄの電極２２を離間させる。モータ１０１がＢ方向に回転することで、支持機構１０２が上方向に移動する。それに伴って接点部８が上方向に移動して、接点部８の接触ピン２１がカートリッジメモリ９ａ〜９ｄの電極２２から離間する。接点部８とカートリッジメモリ９ａ〜９ｄが離間することで、現像器２ａ〜２ｄを保持する回転機構は自在に回転することが可能となる。接点部８の当接離間動作は制御部１０により制御される。
【００２９】
図４は本実施例におけるジャム発生時のリカバリーフローチャートである。
【００３０】
制御部１０はフォトインタラプタ１１〜１４の出力信号より印刷用紙のジャムを検知する（ステップＳ４０１）。すると、不図示のメインボード内の不揮発性メモリ内に、前回のメモリタグアクセスから更新すべきデータが存在するか否かの判断を行う（ステップＳ４０２）。
【００３１】
更新すべきデータが存在しない場合は、ユーザに印刷用紙のジャムの発生を通報して処理を終了する（ステップＳ４０３）。一方、更新すべきデータが存在する場合は以下の処理を行う。すなわち、従来通りに直ちにユーザに通報するのではなく、現像器２ａ〜２ｄを保持する回転機構を駆動して、現像器２ａ〜２ｄのそれぞれに搭載されているカートリッジメモリ９ａ〜９ｄにアクセスを行う。そして、全てのデータの更新を行う（ステップＳ４０４）。その後に、ユーザに印刷用紙のジャムの通報を行う（ステップＳ４０３）。
【００３２】
なお、ユーザへのジャムの発生の通報は、例えば画像形成装置本体に備えられた不図示の表示部にジャムの発生を知らせるメッセージを表示することにより行われる。もちろん、それ以外の方法でユーザへの通報が行われてもよい。
【実施例２】
【００３３】
以下に、本実施例に係る画像形成装置について説明する。
【００３４】
本実施例については、実施例１と異なる構成のみについて説明し、同一の構成については同一の符号を付し、説明は省略する。
【００３５】
図１において、フォトインタラプタ１５は用紙カセット５内の印刷用紙の有無を検知する有無検知センサである。制御部１０は、有無検知センサとしてのフォトインタラプタ１５から用紙カセット５内の紙無しを検知すると、ユーザに印刷用紙の補給を促すメッセージを送るように動作する。
【００３６】
図５は本実施例における印刷用紙無し状態発生時のリカバリーフローチャートである。制御部１０はフォトインタラプタ１５の出力信号より印刷用紙無し状態を検知する（ステップＳ５０１）。すると、不図示のメインボード内の不揮発性メモリ内に、前回のメモリタグアクセスから更新すべきデータが存在するか否かの判断を行う（ステップＳ５０２）。
【００３７】
更新すべきデータが存在しない場合は、ユーザに対し用紙カセット５内に印刷用紙が無いことを通報して処理を終了する（ステップＳ５０３）。一方、更新すべきデータが存在する場合は以下の処理を行う。すなわち、従来通りに直ちにユーザに通報するのではなく、現像器２ａ〜２ｄを保持する回転機構を駆動して、現像器２ａ〜２ｄのそれぞれに搭載されているカートリッジメモリ９ａ〜９ｄにアクセスを行う。そして、全てのデータの更新を行う（ステップＳ５０４）。その後に、ユーザに印刷用紙が無いことの通報を行う（ステップＳ５０３）。
【実施例３】
【００３８】
以下に、本実施例に係る画像形成装置について説明する。
【００３９】
本実施例については、実施例１およびまたは２と異なる構成のみについて説明し、同一の構成については同一の符号を付し、説明は省略する。
【００４０】
画像形成動作を行った際に形成されるトナー像は、完全に次工程における転写対象、すなわち中間転写ベルトや印刷用紙に転写されない場合がある。その場合、感光ドラム１や中間転写ベルト４上に若干のトナーが残留してしまう。この残留トナーを放置すると、次の画像形成動作時に形成されるトナー像中に残留トナーが混入することとなり、印字品質を低下させる原因となる。
【００４１】
そこで図１に示すように、感光ドラム１や中間転写ベルト４には、クリーニング手段としてのクリーニングブレード１６やファーブラシ１７等のクリーニング機構が設けられている。このクリーニング機構により除去されたトナーは、不図示の廃トナー収容手段としての廃トナーボックスに搬送され、収容される。そして、この廃トナーボックスが満タンになると、ユーザに報知して交換してもらうことになる。
【００４２】
図６は、廃トナーボックス６０１の収容トナーの満タンを検知する検知センサの構成の一例を示す概略図である。廃トナーボックス６０１内には、トナー検知センサとしての発光部６０２と受光部６０３が配設されている。本実施例において、発光部６０２はＬＥＤであり、受光部６０３はフォトトランジスタである。廃トナー（斜線部分）が蓄積してくると、トナーが発光部６０２と受光部６０３の間を遮るようになる。その結果、発光部６０２の光は受光部６０３に届かなくなり、制御部１０は廃トナーボックス６０１が満タンであることを検知することになる。
【００４３】
図７は本実施例における廃トナーボックス満タン状態発生時のリカバリーフローチャートである。制御部１０は受光部６０３の出力信号より廃トナーボックス６０１の満タン状態を検知する（ステップＳ７０１）。すると、不図示のメインボード内の不揮発性メモリ内に、前回のメモリタグアクセスから更新すべきデータが存在するか否かの判断を行う（Ｓ７０２）。
【００４４】
更新すべきデータが存在しない場合は、ユーザに廃トナーボックス６０１の満タンを通報して処理を終了する（ステップＳ７０３）。一方、更新すべきデータが存在する場合は以下の処理を行う。すなわち、従来通りに直ちにユーザに通報するのではなく、現像器２ａ〜２ｄを保持する回転機構を駆動して、現像器２ａ〜２ｄのそれぞれに搭載されているカートリッジメモリ９ａ〜９ｄにアクセスを行う。そして全てのデータの更新を行う（ステップＳ７０４）。その後に、ユーザに廃トナーボックス６０１の満タンの通報を行う（ステップＳ７０３）。
【００４５】
なお、実施例１ないし３で説明した以外の異常状態発生時にも上記シーケンスが適用可能であることは言うまでもない。
【実施例４】
【００４６】
以下に、本実施例に係る画像形成装置について説明する。
【００４７】
本実施例については、実施例１ないし３と異なる構成のみについて説明し、同一の構成については同一の符号を付し、説明は省略する。
【００４８】
図８は本実施例に係る画像形成装置を示す概略図である。図１に示す画像形成装置においては、現像器２ａ〜２ｄは不図示の回転機構に保持されて感光ドラム１に順次現像を行うロータリ方式である。一方、図８に示す画像形成装置においては、中間転写ベルト４に４つの感光ドラム１ａ〜１ｄとそれに対応する現像器２ａ〜２ｄが並列に配置されるインライン方式である。
【００４９】
この構成では、プロセス手段としての感光ドラムと現像器とを一体化して装置に着脱可能に構成したプロセスカートリッジが用いられる。
【００５０】
図９は本実施例におけるジャム発生時のリカバリーフローチャートである。制御部（不図示）はフォトインタラプタ１１〜１４の出力信号より印刷用紙のジャムを検知する（ステップＳ９０１）。すると、不図示のメインボード内の不揮発性メモリ内に、前回のメモリタグアクセスから更新すべきデータが存在するか否かの判断を行う（ステップＳ９０２）。
【００５１】
更新すべきデータが存在しない場合は、ユーザに印刷用紙のジャムの発生を通報して処理を終了する（ステップＳ９０３）。一方、更新すべきデータが存在する場合は以下の処理を行う。すなわち、従来通りに直ちにユーザに通報するのではなく、現像器２ａ〜２ｄのそれぞれに搭載されているカートリッジメモリ９ａ〜９ｄにアクセスを行う。そして全てのデータの更新を行う（ステップＳ９０４）。その後に、ユーザに印刷用紙のジャムの通報を行う（ステップＳ９０３）。
【００５２】
当然のことながら、ジャム発生時のみならず、用紙カセット内紙無し時や廃トナーボックス満タン検知時や、それ以外の異常動作時にも上記シーケンスは適用可能である。
【００５３】
なお本実施例では、プロセスカートリッジとして感光体ドラムと現像器とを一体化した構成を前提に説明したが、これに限らず、感光ドラムと現像器とを別々に着脱可能にした構成であってもよい。その場合には感光ドラムを有するカートリッジと現像器を有するカートリッジとのそれぞれにメモリを設ける構成であってもよい。また現像器のカートリッジにのみにメモリを設ける構成であってもよい。
【００５４】
以上、実施例１ないし４に係る画像読取装置によれば、画像形成動作中に種々の異常が発生した際に、各色現像器に搭載されるカートリッジメモリの内容を最新状態に更新した後にユーザに異常を通報する。これにより、ユーザによる本体側の予期せぬカートリッジ交換が発生しても、カートリッジメモリのデータ更新漏れによるデータの喪失は発生しない。そのためカートリッジメモリのデータの信頼性を向上させることが可能となる。
【図面の簡単な説明】
【００５５】
【図１】実施例１ないし３に係る画像形成装置の概略図
【図２】接点部の構成を示す概略図
【図３】接点部の当接離間を実現する構成の一例を示した図
【図４】実施例１におけるジャム発生時のリカバリーフローチャート
【図５】実施例２における印刷用紙無し状態発生時のリカバリーフローチャート
【図６】実施例３に係る廃トナーボックスの構成の一例を示す概略図
【図７】廃トナーボックス満タン状態発生時のリカバリーフローチャート
【図８】実施例４に係る画像形成装置を示す概略図
【図９】ジャム発生時のリカバリーフローチャート
【符号の説明】
【００５６】
１  感光ドラム（像担持体に対応）
２ａ〜２ｄ  現像器（現像手段に対応）
９ａ〜９ｄ  カートリッジメモリ（記憶手段に対応）
１０  制御部（制御手段に対応）
１１〜１４  フォトインタラプタ（転写材検知センサに対応）
１５  フォトインタラプタ（有無検知センサに対応）
６０１  廃トナーボックス（廃トナー収容手段に対応）
６０２  発光部（トナー検知センサに対応）
６０３  受光部（トナー検知センサに対応）
【図１】
2007108211.tif 000003
【図２】
2007108211.tif 000004
【図３】
2007108211.tif 000005
【図４】
2007108211.tif 000006
【図５】
2007108211.tif 000007
【図６】
2007108211.tif 000008
【図７】
2007108211.tif 000009
【図８】
2007108211.tif 000010
【図９】
2007108211.tif 000011